(57)【要約】【課題】人間の感覚に近い形で直感的な操作を行うことができ、機器に不慣れな人なども迅速かつ的確な操作をすることができるとともに、一つの入力手段で多くの操作を行うことができるようにする。【解決手段】遠隔操作装置としてタッチパッド操作部を設け、タッチパッド１１上の指先やペン先が接触した点のＸＹ座標を時系列で示す座標検出信号を得て機器本体に送信する。機器本体では、その座標検出信号におけるＸＹ座標の時間に対する変化のパターンを解析して、タッチパッド１１上で行われた操作のパターンを判定し、その判定結果の操作パターンに応じて被制御部を制御する。タッチパッド１１上で左から右に曲線を描いたとき、オーディオ機器本体では、イコライザの特性を指定する操作と判定して、イコライザの特性を座標検出信号におけるＹ座標の変化に沿った特性に設定する。【選択図】　　　　図１１
2004062503.tif 000002
【特許請求の範囲】
【請求項１】
タッチパッド上の接触物が接触した点のＸＹ座標を時系列で示す座標検出信号を出力するタッチパッド操作装置と、
その座標検出信号におけるＸＹ座標の時間に対する変化のパターンを解析して、前記タッチパッド上で行われた操作のパターンを判定する解析手段と、
その判定結果の操作パターンに応じて被制御部を制御する制御手段と、
を備える電子機器。
【請求項２】
請求項１の電子機器において、
前記タッチパッド操作装置が、前記座標検出信号を無線送信する遠隔操作装置であり、前記解析手段および前記制御手段が、機器本体に設けられた電子機器。
【請求項３】
請求項１の電子機器において、
前記タッチパッド操作装置および前記解析手段が、操作信号を無線送信する遠隔操作装置として設けられ、前記制御手段が、機器本体に設けられた電子機器。
【請求項４】
請求項１〜３のいずれかの電子機器において、
前記解析手段は、前記座標検出信号を、前記タッチパッドが一度叩かれたときのパターンであると判断したときには、ある特定の操作パターンと判定する電子機器。
【請求項５】
請求項１〜３のいずれかの電子機器において、
前記解析手段は、前記座標検出信号を、前記タッチパッドが所定時間より短い時間を置いて二度叩かれたときのパターンであると判断したときには、ある特定の操作パターンと判定する電子機器。
【請求項６】
請求項１〜３のいずれかの電子機器において、
前記解析手段は、前記座標検出信号を、前記接触物が前記タッチパッドに接触した状態で一方向に所定距離以上移動したときのパターンであると判断したときには、その移動方向に応じた特定の操作パターンと判定する電子機器。
【請求項７】
請求項１〜３のいずれかの電子機器において、
当該電子機器は、イコライザを備えるオーディオ機器であって、
前記解析手段は、前記座標検出信号を、Ｘ座標が時間に対してほぼ直線的に変化し、Ｙ座標が時間に対して曲線的に変化するパターンであると判断したときには、前記イコライザの特性を指定する操作パターンと判定する電子機器。
【請求項８】
タッチパッド操作装置からの、タッチパッド上の接触物が接触した点のＸＹ座標を時系列で示す座標検出信号を受信する工程と、
その受信した座標検出信号におけるＸＹ座標の時間に対する変化のパターンを解析して、前記タッチパッド上で行われた操作のパターンを判定する工程と、
その判定結果の操作パターンに応じて機器の被制御部を制御する工程と、
を備える機器操作処理方法。
【請求項９】
請求項８の機器操作処理方法において、
前記座標検出信号を、前記タッチパッドが一度叩かれたときのパターンであると判断したときには、ある特定の操作パターンと判定する機器操作処理方法。
【請求項１０】
請求項８の機器操作処理方法において、
前記座標検出信号を、前記タッチパッドが所定時間より短い時間を置いて二度叩かれたときのパターンであると判断したときには、ある特定の操作パターンと判定する機器操作処理方法。
【請求項１１】
請求項８の機器操作処理方法において、
前記座標検出信号を、前記接触物が前記タッチパッドに接触した状態で一方向に所定距離以上移動したときのパターンであると判断したときには、その移動方向に応じた特定の操作パターンと判定する機器操作処理方法。
【請求項１２】
請求項８の機器操作処理方法において、
前記座標検出信号を、Ｘ座標が時間に対してほぼ直線的に変化し、Ｙ座標が時間に対して曲線的に変化するパターンであると判断したときには、オーディオ機器のイコライザの特性を指定する操作パターンと判定する機器操作処理方法。
【発明の詳細な説明】
【０００１】
【発明の属する技術分野】
この発明は、遠隔操作装置などの操作装置を備えるオーディオ機器などの電子機器、および機器操作処理方法に関する。
【０００２】
【従来の技術】
オーディオ機器、例えば、ディスクやテープなどの記録媒体から、これに記録されているオーディオ信号を再生する機器の操作装置としては、従来、操作釦を用いたものが多い。
【０００３】
具体的に、上記のようなオーディオ機器の遠隔操作装置では、プレイ釦、ストップ釦、順方向早送り釦、逆方向早送り釦などが設けられ、それぞれの釦には、操作内容を示す記号やマークが付される。
【０００４】
【発明が解決しようとする課題】
しかしながら、釦による操作では、それぞれの釦が配置されている位置を記憶しておいて、または、操作の都度、釦に付されている記号やマークを見て、釦を押さなければならないので、機器に不慣れな人などにとっては、迅速かつ的確な操作をすることが難しい。
【０００５】
しかも、釦による操作では、一つの釦で一つの操作機能を実現するため、多くの操作機能を実現しようとすると、多くの釦を必要とし、操作装置が複雑化するとともに、デザイン上の問題なども生じるため、結果的に、機器の機能を制限してしまうことがある。
【０００６】
幾つかの釦を組み合わせて一つの操作機能を実現することもあるが、その場合には、ユーザは、どの釦を、どの順序で押せばよいか、判断に迷うことがあり、操作が複雑となる。
【０００７】
そこで、この発明は、人間の感覚に近い形で直感的な操作を行うことができ、機器に不慣れな人なども迅速かつ的確な操作をすることができるとともに、一つの入力手段で多くの操作を行うことができるようにしたものである。
【０００８】
【課題を解決するための手段】
この発明の電子機器は、
タッチパッド上の接触物が接触した点のＸＹ座標を時系列で示す座標検出信号を出力するタッチパッド操作装置と、
その座標検出信号におけるＸＹ座標の時間に対する変化のパターンを解析して、前記タッチパッド上で行われた操作のパターンを判定する解析手段と、
その判定結果の操作パターンに応じて被制御部を制御する制御手段と、
を備えるものとする。
【０００９】
この発明の機器操作処理方法は、
タッチパッド操作装置からの、タッチパッド上の接触物が接触した点のＸＹ座標を時系列で示す座標検出信号を受信する工程と、
その受信した座標検出信号におけるＸＹ座標の時間に対する変化のパターンを解析して、前記タッチパッド上で行われた操作のパターンを判定する工程と、
その判定結果の操作パターンに応じて機器の被制御部を制御する工程と、
を備えるものとする。
【００１０】
上記の構成の、この発明の電子機器または機器操作処理方法では、例えば、指先やペン先でタッチパッドを一度軽く叩いたときは再生操作、二度軽く叩いたときは停止操作、タッチパッドに指を当てて上方にスライドさせたときは順方向早送り操作、タッチパッドに指を当てて下方にスライドさせたときは逆方向早送り操作、などというように、人間の感覚に近い形で直感的な操作を行うことができ、機器に不慣れな人なども迅速かつ的確な操作をすることができるとともに、一つの入力手段で多くの操作を行うことができる。
【００１１】
しかも、操作機能を変更または追加する場合でも、パターン解析のためのソフトウェアのみを変更すればよく、メカ的および回路的な操作機構は変更する必要がない。
【００１２】
【発明の実施の形態】
〔遠隔操作装置の実施形態：図１および図２〕
図１は、遠隔操作装置の一実施形態の外観構成を示す。
【００１３】
この例のリモートコマンダ１０では、正面中央部にタッチパッド１１が設けられ、その左右に複数の釦１２ａからなるキー操作部１２が設けられ、前方中央部に赤外線送信部１３が設けられる。
【００１４】
タッチパッド１１は、その表面に指先やペン先などの接触物が接触したとき、その接触点のＸＹ座標（２次元位置）を検出できると同時に、その接触圧を検出できるものである。
【００１５】
リモートコマンダ１０の機能ブロック構成としては、図２に示すように、リモートコマンダ１０は、ＣＰＵ２１を備え、そのバス２２に、ＣＰＵ２１が実行する処理プログラムや固定データなどが書き込まれたＲＯＭ２３、およびＣＰＵ２１のワークエリアなどとして機能するＲＡＭ２４などが接続される。
【００１６】
また、タッチパッド１１が、座標検出回路１５を介してバス２２に接続され、キー操作部１２が入力インタフェース１６を介してバス２２に接続され、赤外線送信部１３が出力インタフェース１７を介してバス２２に接続される。
【００１７】
座標検出回路１５は、タッチパッド１１上の指先やペン先が接触した点のＸＹ座標を時系列で示す座標検出信号を出力するものである。
【００１８】
接触圧については、指先やペン先が閾値以上の接触圧で接触した時にのみＸＹ座標が出力されるように、座標検出回路１５を構成し、または、接触圧がＺ座標として検出され、ＸＹ座標と合わせて３次元の座標が出力されるように、座標検出回路１５を構成する。
【００１９】
赤外線送信部１３は、座標検出回路１５からの座標検出信号を、赤外線送信信号として、後述の機器本体に送信するものである。タッチパッド１１上での指やペンの動きに追従できるように、赤外線送信信号の搬送波周波数は、４５５ｋＨｚ以上というような高周波数とされる。
【００２０】
リモートコマンダ１０を駆動する電池の電圧の変化や、座標検出回路１５を構成する素子の経時変化などによって、接触物がタッチパッド１１上の同じ点に接触したときでも、座標検出回路１５で検出されるＸＹ座標が変化する。
【００２１】
そのため、タッチパッド１１の対角線方向の２つのコーナー部、例えば左上および右下のコーナー部を順次、軽く叩いたときには、ＣＰＵ２１が、リセットが指示されたものとして、タッチパッド１１および座標検出回路１５をリセットするように、リモートコマンダ１０が構成される。ユーザは、電池交換時には、このようにリモートコマンダ１０を初期化する。
【００２２】
〔オーディオ機器の実施形態：図３〕
図３は、オーディオ機器の一実施形態を示し、機器本体３０として、光ディスクや光磁気ディスクなどのディスク１から、これに記録されているデジタル音声信号を再生する装置である。
【００２３】
ディスク１は、スピンドルモータ４１によって回転駆動され、光学ピックアップ３１は、送りモータ４２によってディスク１の径方向に送られる。
【００２４】
光学ピックアップ３１からの再生ＲＦ信号は、ＲＦ信号処理回路３２に供給されて、ＲＦ信号処理回路３２から、速度エラー信号、トラッキングエラー信号およびフォーカスエラー信号などが得られ、これらエラー信号が、サーボ制御回路４３に供給されて、ディスク１の回転、光学ピックアップ３１の送り、および光学ピックアップ３１のトラッキングおよびフォーカスが制御される。
【００２５】
ＲＦ信号処理回路３２からの再生信号は、復調用ＤＳＰ（Ｄｉｇｉｔａｌ　Ｓｉｇｎａｌ　Ｐｒｏｃｅｓｓｏｒ）３３で復調処理され、復調用ＤＳＰ３３から再生デジタル音声信号が得られる。
【００２６】
また、復調用ＤＳＰ３３から、再生制御用の制御情報が得られ、その制御情報が、再生制御回路４４に供給され、サーボ制御回路４３によるディスク１の回転および光学ピックアップ３１の送りの制御に供される。
【００２７】
復調用ＤＳＰ３３からの再生デジタル音声信号は、イコライザ３４において、周波数−レベル（振幅）の特性が、後述のように解析制御部５０によって設定された特性となるように制御された後、Ｄ／Ａコンバータ３５で再生アナログ音声信号に変換される。その再生アナログ音声信号は、音声増幅回路３６で増幅されて、スピーカ３７に供給される。
【００２８】
解析制御部５０は、ＣＰＵ５１を備え、そのバス５２に、ＣＰＵ５１が実行すべき後述の解析制御処理ルーチンを含むプログラムや、パターン解析に必要なデータなどが書き込まれたＲＯＭ５３、およびＣＰＵ５１のワークエリアなどとして機能するＲＡＭ５４などが接続される。
【００２９】
また、リモートコマンダ１０からの赤外線送信信号９を受信する赤外線受光部４６が、入力インタフェース４７を介してバス５２に接続され、上記のイコライザ３４および再生制御回路４４が、バス５２に接続される。
【００３０】
解析制御部５０は、リモートコマンダ１０から赤外線送信信号９として送信され、赤外線受光部４６によって受信した座標検出信号における、ＸＹ座標の時間に対する変化のパターンを解析して、タッチパッド１１上で行われた操作のパターンを判定し、その判定結果の操作パターンに応じて、後述のように再生制御回路４４によってディスク１の再生を制御し、後述のようにイコライザ３４の特性を設定する。
【００３１】
〔解析制御の実施形態：図４〜図１６〕
リモートコマンダ１０では、上記のように初期化されたとき、例えば、図４に示すように、タッチパッド１１の中心の点Ｐｏを座標原点として、接触物が接触した点のＸＹ座標が検出される。
【００３２】
そして、この実施形態では、機器本体３０の解析制御部５０は、操作の象徴パターンとして、以下の第１パターンから第７パターンまでの７つのパターンを想定して、座標検出信号におけるＸＹ座標の時間に対する変化のパターンを解析する。
【００３３】
（第１パターン：図５）
第１に、タッチパッド１１を一度軽く叩いた場合である。叩いた位置は、問題としない。
【００３４】
この場合、リモートコマンダ１０の座標検出回路１５で検出される接触圧は、図５に示すように、短い期間Ｔａでのみ閾値Ｚｔｈを超え、その後は所定時間Ｔｔｈ以上に渡ってゼロとなる。したがって、座標検出信号としては、Ｘ座標およびＹ座標が、期間Ｔａでのみ、それぞれ適当な値となる信号が得られる。
【００３５】
機器本体３０の解析制御部５０は、座標検出信号のパターンが、このような第１パターン６１である場合には、再生操作と判定して、ディスク１の再生を開始する。
【００３６】
（第２パターン：図６）
第２に、タッチパッド１１を二度軽く叩いた場合である。叩いた位置は、問題としない。
【００３７】
この場合、リモートコマンダ１０の座標検出回路１５で検出される接触圧は、図６に示すように、短い期間Ｔａで閾値Ｚｔｈを超え、その後、図５で上述した所定時間Ｔｔｈより短い時間Ｔｄを経て再度、短い期間Ｔｂで閾値Ｚｔｈを超える。したがって、座標検出信号としては、Ｘ座標およびＹ座標が、期間ＴａおよびＴｂで、それぞれ適当な値となる信号が得られる。
【００３８】
機器本体３０の解析制御部５０は、座標検出信号のパターンが、このような第２パターン６２である場合には、停止操作と判定して、ディスク１の再生を停止する。
【００３９】
（第３パターン：図７）
第３に、指またはペンをタッチパッド１１に当てた後、そのまま右にスライドさせた場合である。最初に指またはペンを当てた位置は、問題としないが、右方向に所定距離以上、スライドさせる必要がある。
【００４０】
この場合、座標検出信号におけるＸ座標は、図７の線６３ａまたは６３ｂで示すように、時間の経過に伴ってプラス方向に変化する。
【００４１】
この場合、第３パターン６３として示すように、移動距離Ｄｘが所定距離Ｘｔｈ以上であれば、機器本体３０の解析制御部５０は、順方向頭出し操作と判定して、再生中の曲の一つ後の曲の頭から再生するように再生制御回路４４を制御する。
【００４２】
（第４パターン：図８）
第４に、指またはペンをタッチパッド１１に当てた後、そのまま左にスライドさせた場合である。最初に指またはペンを当てた位置は、問題としないが、左方向に所定距離以上、スライドさせる必要がある。
【００４３】
この場合、座標検出信号におけるＸ座標は、図８の線６４ａまたは６４ｂで示すように、時間の経過に伴ってマイナス方向に変化する。
【００４４】
この場合、第４パターン６４として示すように、移動距離Ｄｘが所定距離Ｘｔｈ以上であれば、機器本体３０の解析制御部５０は、逆方向頭出し操作と判定して、再生中の曲の一つ前の曲の頭から再生するように再生制御回路４４を制御する。
【００４５】
（第５パターン：図９）
第５に、指またはペンをタッチパッド１１に当てた後、そのまま上にスライドさせ、目的の操作が完了したところでタッチパッド１１から離した場合である。最初に指またはペンを当てた位置は、問題としないが、上方向に所定距離以上、スライドさせる必要がある。
【００４６】
この場合、座標検出信号におけるＹ座標は、図９の線６５ａまたは６５ｂで示すように、時間の経過に伴ってプラス方向に変化する。
【００４７】
この場合、第５パターン６５として示すように、移動距離Ｄｙが所定距離Ｙｔｈ以上であれば、機器本体３０の解析制御部５０は、順方向早送り操作と判定して、ディスク読み出し位置を順方向に早送りするように再生制御回路４４を制御し、座標検出信号としてＸＹ座標が得られなくなったとき、順方向早送りを停止させる。
【００４８】
（第６パターン：図１０）
第６に、指またはペンをタッチパッド１１に当てた後、そのまま下にスライドさせ、目的の操作が完了したところでタッチパッド１１から離した場合である。最初に指またはペンを当てた位置は、問題としないが、下方向に所定距離以上、スライドさせる必要がある。
【００４９】
この場合、座標検出信号におけるＹ座標は、図１０の線６６ａまたは６６ｂで示すように、時間の経過に伴ってマイナス方向に変化する。
【００５０】
この場合、第６パターン６６として示すように、移動距離Ｄｙが所定距離Ｙｔｈ以上であれば、機器本体３０の解析制御部５０は、逆方向早送り操作と判定して、ディスク読み出し位置を逆方向に早送りするように再生制御回路４４を制御し、座標検出信号としてＸＹ座標が得られなくなったとき、逆方向早送りを停止させる。
【００５１】
（第７パターン：図１１および図１２）
第７に、図１１において矢印６７ａで示すように、タッチパッド１１上で、指またはペンを、タッチパッド１１の左はじに近い位置から右はじに近い位置まで、曲線を描くようにスライドさせた場合である。
【００５２】
この場合、座標検出信号におけるＸ座標は、図１２の線６７ｘで示すように、時間の経過に伴ってプラス方向にほぼ直線的に変化するのに対して、座標検出信号におけるＹ座標は、図１２の線６７ｙで示すように、時間の経過に伴ってプラス方向およびマイナス方向に曲線的に変化する。
【００５３】
機器本体３０の解析制御部５０は、座標検出信号のパターンが、このような第７パターン６７である場合には、イコライザ３４の特性を指定する操作と判定して、イコライザ３４の特性を、図１２の線６７ｙで示されるＹ座標の変化に沿った特性に設定する。
【００５４】
具体的に、線６７ｙの始点のＹ座標値に応じて、イコライザ特性における最低周波数でのレベルを設定し、線６７ｙの終点のＹ座標値に応じて、イコライザ特性における最高周波数でのレベルを設定し、両者の間においても、Ｙ座標が極大または極小となる点のＹ座標値に応じて、イコライザ特性における対応する周波数でのレベルを設定して、イコライザ３４の周波数−レベルの特性を線６７ｙに沿うものとする。
【００５５】
したがって、ユーザは、希望するイコライザ特性に沿う曲線を描くように指またはペンをタッチパッド１１上でスライドさせる簡単かつ直感的な操作によって、希望するイコライザ特性を得ることができる。
【００５６】
（解析制御処理ルーチン：図１３および図１４）
図１３および図１４に、上述した実施形態で解析制御部５０のＣＰＵ５１が行う解析制御処理ルーチンの一例を示す。
【００５７】
この解析制御処理ルーチン７０では、ＣＰＵ５１は、まずステップ７１で、リモートコマンダ１０から赤外線送信信号９として送信された座標検出信号を受信したか否かを判断し、受信したときには、ステップ７２に進んで、その座標検出信号のパターンを解析する。
【００５８】
次に、ＣＰＵ５１は、ステップ７３で、座標検出信号のパターンが上記の第１パターン６１であるか否かを判断し、第１パターン６１であると判定したときには、ステップ７４に進んで、再生操作の制御を実行する。
【００５９】
座標検出信号のパターンが第１パターン６１ではないと判断したときには、ステップ７３からステップ７５に進んで、座標検出信号のパターンが上記の第２パターン６２であるか否かを判断し、第２パターン６２であると判定したときには、ステップ７６に進んで、停止操作の制御を実行する。
【００６０】
座標検出信号のパターンが第２パターン６２ではないと判断したときには、ステップ７５からステップ７７に進んで、座標検出信号のパターンが上記の第３パターン６３であるか否かを判断し、第３パターン６３であると判定したときには、ステップ７８に進んで、順方向頭出し操作の制御を実行する。
【００６１】
座標検出信号のパターンが第３パターン６３ではないと判断したときには、ステップ７７からステップ７９に進んで、座標検出信号のパターンが上記の第４パターン６４であるか否かを判断し、第４パターン６４であると判定したときには、ステップ８０に進んで、逆方向頭出し操作の制御を実行する。
【００６２】
座標検出信号のパターンが第４パターン６４ではないと判断したときには、ステップ７９からステップ８１に進んで、座標検出信号のパターンが上記の第５パターン６５であるか否かを判断し、第５パターン６５であると判定したときには、ステップ８２に進んで、順方向早送り操作の制御を実行する。
【００６３】
座標検出信号のパターンが第５パターン６５ではないと判断したときには、ステップ８１からステップ８３に進んで、座標検出信号のパターンが上記の第６パターン６６であるか否かを判断し、第６パターン６６であると判定したときには、ステップ８４に進んで、逆方向早送り操作の制御を実行する。
【００６４】
座標検出信号のパターンが第６パターン６６ではないと判断したときには、ステップ８３からステップ８５に進んで、座標検出信号のパターンが上記の第７パターン６７であるか否かを判断し、第７パターン６７であると判定したときには、ステップ８６に進んで、イコライザ特性の設定の制御を実行する。
【００６５】
座標検出信号のパターンが第７パターン６７ではないと判断したときには、ステップ８５からステップ８７に進んで、他の処理を実行する。
【００６６】
具体的に、他の処理として、操作内容が不明であることを、警告音や表示などによってユーザに告げる処理を実行するように、システムを構成することができるが、何ら処理を行わないで、ユーザの再操作を待つように、システムを構成することもできる。
【００６７】
（他の操作パターンの例：図１５および図１６）
上述した操作パターン以外の操作パターンを用いることもできる。
【００６８】
例えば、図１５において矢印９１または９２で示すように、タッチパッド１１上で、指またはペンを、タッチパッド１１の中心Ｐｏの周りに円弧を描くようにスライドさせた場合である。
【００６９】
この場合、矢印９１で示すようにスライドさせた場合には、座標検出信号におけるＸ座標は、図１６の線９１ｘで示すように、時間の経過に伴って放物線状に変化し、座標検出信号におけるＹ座標は、図１６の線９１ｙで示すように、時間の経過に伴ってプラス方向からマイナス方向にサイン波状に変化する。
【００７０】
機器本体３０の解析制御部５０は、座標検出信号のパターンが、このようなパターンである場合には、音量を増加させる操作と判定して、座標検出信号としてＸＹ座標が得られなくなるまで、またはＹ座標が極小値に達するまで、音量を増加させる。
【００７１】
矢印９２で示すようにスライドさせた場合には、座標検出信号におけるＸ座標は、図１６の線９２ｘで示すように、時間の経過に伴って放物線状に変化し、座標検出信号におけるＹ座標は、図１６の線９２ｙで示すように、時間の経過に伴ってマイナス方向からプラス方向にサイン波状に変化する。
【００７２】
機器本体３０の解析制御部５０は、座標検出信号のパターンが、このようなパターンである場合には、音量を減少させる操作と判定して、座標検出信号としてＸＹ座標が得られなくなるまで、またはＹ座標が極大値に達するまで、音量を減少させる。
【００７３】
（接触圧をＺ座標として検出する場合の例）
リモートコマンダ１０の座標検出回路１５は、指先やペン先がタッチパッド１１に接触した時の接触圧をＺ座標として検出する構成とすることができ、その場合には、以下のような操作を行うことができる。
【００７４】
例えば、第１として、タッチパッド１１を一度軽く叩いた場合であり、第２として、タッチパッド１１を一度強めに押した場合である。叩いた位置や、押した位置は、問題としない。
【００７５】
第１の場合、座標検出信号におけるＺ座標は、図５に示した期間Ｔａのような短い期間で、相対的に小さい第１の座標値（閾値）を超えるが、相対的に大きい第２の座標値（閾値）は超えない。
【００７６】
機器本体３０の解析制御部５０は、座標検出信号のパターンが、このようなパターンである場合には、例えば、再生操作と判定して、ディスク１の再生を開始するように、システムを構成する。
【００７７】
第２の場合、座標検出信号におけるＺ座標は、上記の第１の場合より幾分長い期間で（強めに押すので、軽く叩く場合より、接触する時間が長くなる）、上記の第１の座標値（閾値）を超えるだけでなく、上記の第２の座標値（閾値）を超える。
【００７８】
機器本体３０の解析制御部５０は、座標検出信号のパターンが、このようなパターンである場合には、例えば、停止操作と判定して、ディスク１の再生を停止するように、システムを構成する。
【００７９】
〔他の実施形態〕
上述した実施形態は、機器本体３０の解析制御部５０で、リモートコマンダ１０からの座標検出信号のパターンを解析して操作パターンを判定する場合であるが、遠隔操作装置内で、座標検出信号のパターンを解析して操作パターンを判定し、その判定結果の操作信号を遠隔操作装置から機器本体に送信するように構成してもよい。
【００８０】
また、上述した実施形態は、タッチパッド操作装置を遠隔操作装置として構成する場合であるが、タッチパッド操作装置をオーディオ機器のパネル部に設けてもよい。
【００８１】
さらに、この発明は、オーディオ機器に限らず、ビデオ機器などの電子機器に適用することができる。
【００８２】
【発明の効果】
上述したように、この発明によれば、人間の感覚に近い形で直感的な操作を行うことができ、機器に不慣れな人なども迅速かつ的確な操作をすることができるとともに、一つの入力手段で多くの操作を行うことができる。
【００８３】
しかも、操作機能を変更または追加する場合でも、パターン解析のためのソフトウェアのみを変更すればよく、メカ的および回路的な操作機構は変更する必要がない。
【００８４】
また、操作装置全体として釦の数を減らすことができ、操作装置全体を小型化することができる。
【図面の簡単な説明】
【図１】遠隔操作装置の一実施形態の外観構成を示す図である。
【図２】遠隔操作装置の一実施形態の機能ブロック構成を示す図である。
【図３】オーディオ機器の機器本体の一実施形態を示す図である。
【図４】タッチパッド上のＸＹ座標を示す図である。
【図５】第１パターンを示す図である。
【図６】第２パターンを示す図である。
【図７】第３パターンを示す図である。
【図８】第４パターンを示す図である。
【図９】第５パターンを示す図である。
【図１０】第６パターンを示す図である。
【図１１】イコライザ特性を指定する場合の操作を示す図である。
【図１２】イコライザ特性を指定する場合のパターンを示す図である。
【図１３】解析制御処理ルーチンの一例の一部を示す図である。
【図１４】解析制御処理ルーチンの一例の残部を示す図である。
【図１５】音量を調整する場合の操作を示す図である。
【図１６】音量を調整する場合のパターンを示す図である。
【符号の説明】
主要部については図中に全て記述したので、ここでは省略する。
【図１】
2004062503.tif 000003
【図２】
2004062503.tif 000004
【図３】
2004062503.tif 000005
【図４】
2004062503.tif 000006
【図５】
2004062503.tif 000007
【図６】
2004062503.tif 000008
【図７】
2004062503.tif 000009
【図８】
2004062503.tif 000010
【図９】
2004062503.tif 000011
【図１０】
2004062503.tif 000012
【図１１】
2004062503.tif 000013
【図１２】
2004062503.tif 000014
【図１３】
2004062503.tif 000015
【図１４】
2004062503.tif 000016
【図１５】
2004062503.tif 000017
【図１６】
2004062503.tif 000018